(57)【要約】【課題】ワイヤネットの長さを従来の中間引きケーブルグリップのように長くすることなく、ケーブルの長手方向の端部もしくはケーブルの長手方向の中間部を保持し、ケーブルにダメージを与えることなくケーブルを保持し吊り上げることができるケーブルグリップを提供する。【解決手段】ワイヤ１５で筒状に編まれケーブル３が収容されるワイヤネット５と、環を途切る部位１７が形成されており、ワイヤネット５の端部に設けられているリング状部材７と、お互いが所定の間隔をあけて離れるようにリング状部材７に支持されている複数本の綱状部材９と、複数本の綱状部材９のそれぞれが所定の間隔をあけるようにガイドしているガイド部材１１と、複数本の綱状部材９を１本にまとめている結束コネクタ１３とを有するケーブルグリップ１である。【選択図】図１
2020039244.tif 000002
【特許請求の範囲】
【請求項１】
紐状部材で筒状に編まれケーブルが収容される第１のネットと、
周方向の一部に環を途切る部位が形成されており、前記第１のネットの一方の端部に設けられているリング状部材と、
お互いが所定の間隔をあけて離れるように前記リング状部材に支持されており、前記リング状部材から延出している複数本の第１の綱状部材と、
前記リング状部材から離れて設けられ、前記複数本の第１の綱状部材のそれぞれが所定の間隔をあけるように、前記複数本の第１の綱状部材をガイドしているガイド部材と、
前記ガイド部材によってガイドされ前記ガイド部材から延出している複数本の第１の綱状部材を１本にまとめている結束コネクタと、
を有することを特徴とするケーブルグリップ。
【請求項２】
請求項１に記載のケーブルグリップにおいて、
前記ガイド部材は、前記複数本の第１の綱状部材のそれぞれが挿通される複数の挿通部材と、円錐台側面状に形成されている支持部材とを備えて構成されており、
前記支持部材は、前記円錐台の底面が前記リング状部材側に位置し、前記複数の挿通部材同士が所定の位置関係になるように前記複数の挿通部材を支持していることを特徴とするケーブルグリップ。
【請求項３】
請求項２に記載のケーブルグリップにおいて、
前記挿通部材は、筒状に形成されており、
前記複数の挿通部材は、前記支持部材の円の周を等分配する位置に設けられており、しかも、前記複数の挿通部材の中心軸のそれぞれが前記円錐台側面状の支持部材の母線と平行になっていることを特徴とするケーブルグリップ。
【請求項４】
請求項３に記載のケーブルグリップにおいて、
前記リング状部材には、前記リング状部材の内径が所定の値よりも小さくなることを防ぐためのストッパが設けられており、
前記円錐台側面状に形成されている支持部材の底面の内径の値は、前記ストッパによって決定される前記リング状部材の内径の最小値以上の大きさになっていることを特徴とするケーブルグリップ。
【請求項５】
請求項４に記載のケーブルグリップにおいて、
前記リング状部材の内径の値が前記ストッパによって決定される最小値になっているとき、前記リング状部材から延出し始めている前記複数の第１の綱状部材の部位のそれぞれが、前記支持部材の円を等分配する位置に配置されることを特徴とするケーブルグリップ。
【請求項６】
紐状部材で筒状に編まれケーブルが収容される第１のネットと、
周方向の一部に環を途切る部位が形成されており、環の径が所定の値よりも小さくなることを防ぐためのストッパが設けられており、前記ワイヤネットの端部に設けられているリング状部材と、
お互いが所定の間隔をあけて離れるように前記リング状部材に支持されており、前記リング状部材から延出している複数本の第１の綱状部材と、
を有し、前記リング状部材の内径の値が前記ストッパによって決定される最小値になっているとき、前記リング状部材から延出し始めている前記複数本の第１の綱状部材の部位のそれぞれが、前記リング状部材の円を等分配する位置に配置されることを特徴とするケーブルグリップ。
【請求項７】
請求項１〜請求項６のいずれか1項に記載のケーブルグリップにおいて、
紐状部材で編まれており、前記第１のネットの他方の端部側で前記第１のネットから離れており、前記ケーブルが収容される第２のネットと、
お互いが所定の間隔をあけて離れるようにして前記第１のネットと前記第２のネットとの間で延出しており、前記第１のネットと前記第２のネットとをつないでいる複数本の第２の綱状部材と、
を有することを特徴とするケーブルグリップ。
【請求項８】
請求項７に記載のケーブルグリップにおいて、
前記第２のネットで前記ケーブルを包み込んで保持するときに、前記第２のネットを筒状に形成する留め具を有することを特徴とするケーブルグリップ。
【請求項９】
請求項７または請求項８に記載のケーブルグリップにおいて、
前記第１の綱状部材と前記第１のネットと前記第２の綱状部材と前記第２のネットとを構成している前記ワイヤは、前記第１の綱状部材と前記第１のネットと前記第２の綱状部材と前記第２のネットとを通して、連続してつながっていることを特徴とするケーブルグリップ。
【請求項１０】
紐状部材で筒状に編まれケーブルが収容される第１のネットと、
前記第１のネットの一方の端部に設けられている結束コネクタと、
紐状部材で編まれており、前記第１のネットの他方の端部側で前記第１のネットから離れており、前記ケーブルが収容される第２のネットと、
お互いが所定の間隔をあけて離れるようにして前記第１のネットと前記第２のネットとの間で延出しており、前記第１のネットと前記第２のネットとをつないでいる複数本の綱状部材と、
を有することを特徴とするケーブルグリップ。
【請求項１１】
請求項１０に記載のケーブルグリップにおいて、
前記結束コネクタは、複数設けられており、
前記第１のネットの一方の端は、前記ケーブルの通り抜けができるように開口していることを特徴とするケーブルグリップ。
【発明の詳細な説明】
【技術分野】
【０００１】
本発明は、ケーブルグリップに係り、特に、ケーブルの端部に設置され前記ケーブルを吊る等する場合に使用されるものに関する。
【背景技術】
【０００２】
従来、図１８で示すような、筒状のワイヤネット３０１とリング状部材３０３と２本の綱状部材３０５と１つのシンブル３０７とを備えたケーブルグリップ３０９が知られている。
【０００３】
図１８で示すケーブルグリップ３０９では、ワイヤネット３０１にケーブル３１１の端部を挿入し、シンブル３０７を引き上げることで、ケーブルを保持し吊り上げている。
【０００４】
また、従来、図２０で示すような中間引きケーブルグリップ３５１が知られている。この中間引きケーブルグリップ３５１は、筒状のワイヤネット３５３と２つのシンブル（締結部材）３５５とを備えて構成されている。
【０００５】
また、図２０で示す中間引きケーブルグリップ３５１では、ワイヤネット３５３にケーブル３５７を挿入し、シンブル３５５を引き上げることで、ケーブル３５７を保持し吊り上げている。
【０００６】
ここで、従来のケーブルグリップに関する技術文献として、特許文献１、特許文献２を掲げることができる。
【先行技術文献】
【特許文献】
【０００７】
【特許文献１】特開平１０−２８５７７６号公報
【特許文献２】登録実用新案第２５９３１９６号公報
【発明の概要】
【発明が解決しようとする課題】
【０００８】
ところで、従来のケーブルグリップ３０９は、ケーブル３１１の長手方向の端部を保持するものである。図６で示すように、従来のケーブルグリップ３０９でケーブル３１１の長手方向の中間部を保持すると、たとえば、綱状部材３０５による側圧で（綱状部材３０５に押されて）ケーブル３１１がダメージを受けてしまうおそれがある。
【０００９】
また、従来のケーブルグリップ３５１は、ケーブル３５７をワイヤネット３５３に貫通（挿通）させ、２つのシンブル３５５を引っ張ることで、ケーブル３５７を保持し吊り上げるものであるが、ワイヤネット３５３によるケーブル３５７の保持力を確保するためには、ワイヤネット３５３の長さを長くする必要がある。
【００１０】
本発明は、ワイヤネットの長さを従来の中間引きケーブルグリップのように長くすることなく、ケーブルの長手方向の端部もしくはケーブルの長手方向の中間部を保持し、ケーブルにダメージを与えることなくケーブルを保持し吊り上げることができるケーブルグリップを提供することを目的とする。
【課題を解決するための手段】
【００１１】
本発明は、ワイヤで筒状に編まれケーブルが収容されるワイヤネットと、周方向の一部に環を途切る部位が形成されており、前記ワイヤネットの端部に設けられているリング状部材と、お互いが所定の間隔をあけて離れるように前記リング状部材に支持されており、前記リング状部材から延出している複数本の綱状部材と、前記リング状部材から離れて設けられ、前記複数本の綱状部材のそれぞれが所定の間隔をあけるように、前記複数本の綱状部材をガイドしているガイド部材と、前記ガイド部材によってガイドされ前記ガイド部材から延出している複数本の綱状部材を１本にまとめている結束コネクタとを有するケーブルグリップである。
【発明の効果】
【００１２】
本発明によれば、ワイヤネットの長さを従来の中間引きケーブルグリップのように長くすることなく、ケーブルの長手方向の端部もしくはケーブルの長手方向の中間部を保持し、ケーブルにダメージを与えることなくケーブルを保持し吊り上げることができるケーブルグリップを提供することができるという効果を奏する。
【図面の簡単な説明】
【００１３】
【図１】本発明の第１の実施形態に係るケーブルグリップを示す図であり、（ｂ）は（ａ）におけるＩＢ部の拡大図であり、（ｃ）は（ｂ）におけるＩＣ部の拡大図である。
【図２】本発明の第１の実施形態に係るケーブルグリップのガイド部材を示す図であり、（ｂ）は（ａ）におけるＩＩＢ−ＩＩＢ断面を示す図である。
【図３】図１（ｂ）におけるＩＩＩ部の拡大図である。
【図４】本発明の第１の実施形態に係るケーブルグリップのリング状部材において、内径の値が最大値になっている状態を示す図である。
【図５】本発明の第１の実施形態に係るケーブルグリップのリング状部材において、内径の値が最小値になっている状態を示す図である。
【図６】本発明の第１の実施形態に係るケーブルグリップがケーブルを保持する状態を示す図である。
【図７】本発明の第１の実施形態に係るケーブルグリップの変形例を示す図である。
【図８】本発明の第１の実施形態に係るケーブルグリップのリング状部材の変形例を示す図である。
【図９】本発明の第１の実施形態に係るケーブルグリップのリング状部材の変形例を示す図である。
【図１０】本発明の第２の実施形態に係るケーブルグリップを示す図である。
【図１１】本発明の第２の実施形態に係るケーブルグリップの留め具を示す図である。
【図１２】本発明の第２の実施形態に係るケーブルグリップの留め具を示す図である。
【図１３】本発明の第２の実施形態に係るケーブルグリップの変形例を示す図である。
【図１４】図１３で示すケーブルグリップの動作を示す図である。
【図１５】図１３で示すケーブルグリップの動作を示す図である。
【図１６】本発明の第２の実施形態に係るケーブルグリップの別の変形例を示す図である。
【図１７】図１６で示すケーブルグリップの動作を示す図である。
【図１８】従来のケーブルグリップを示す図である。
【図１９】従来のケーブルグリップのリング状部材において、内径の値が最小値になっている状態を示す図である。
【図２０】従来のケーブルグリップを示す図である。
【発明を実施するための形態】
【００１４】
[第１の実施形態]
本発明の第１の実施形態に係るケーブルグリップ１は、ケーブル３を保持することで、ケーブル３を、たとえば、管路（図示せず）内に引き入れるとき使用されるものである。ケーブルグリップ１は、図１や図３等で示すように、第１のネット５とリング状部材７と第１の綱状部材（ロープ；たとえば撚りワイヤ）９とガイド部材１１と結束コネクタ（締結部材；シンブル）１３とを備えて構成されている。
【００１５】
ここで、説明の便宜のために、ケーブルグリップ１における所定の一方向を長手方向とし、この長手方向に対して直交する方向を径方向とする。
【００１６】
第１のネット（たとえばワイヤネット）５は、細長い紐状部材（たとえばワイヤ）１５を筒状に編むことで形成されており、第１のワイヤネット５には、ケーブル３が収容されるようになっている。筒状の第１のワイヤネット５の中心軸は長手方向に延びている。
【００１７】
ケーブル３は、たとえば、３本のケーブル３Ａ、３Ｂ、３Ｃで構成されているトリプレックスケーブルである。
【００１８】
リング状部材７は、環状（リング状）に形成されており、第１のワイヤネット５の長手方向の一端部（一方の端部）で、第１のワイヤネット５の一方の開口部の全周にわたって設けられており、図４等で示すように、周方向の一部に環（リング）を途切る部位（１つの欠損部位）１７が形成されている。
【００１９】
リング状部材７は、たとえば、金属もしくは合成樹脂で構成されており、周方向の一部で環が途切れていることで（欠損部位１７が形成されていることで）、力が加わった場合に、弾性を備えたリング状部材７の環の径（内径や外径）が変化するようになっている。また、リング状部材７では、力を取り去ったときに、環の径がもとにもどるようになっている（図４、図５参照）。
【００２０】
なお、図４で示す状態のリング状部材７は、内径Ｄ１の値が最大値になっており、図５で示す状態のリング状部材７は、内径Ｄ１の値が最小値になっている。
【００２１】
第１の綱状部材９は、複数本（たとえば３本）設けられており、複数本の第１の綱状部材９（９Ａ、９Ｂ、９Ｃ）は、お互いが所定の間隔をあけて離れるようにしてリング状部材７に支持されている。また、複数本の第１の綱状部材９は、第１のワイヤネット５とは反対側（長手方向の一端側）にリング状部材７から所定の長さ延出している。
【００２２】
リング状部材７の中心軸は長手方向に延びている。リング状部材７は、この中心軸を含む平面による断面形状が、たとえば、縦方向の寸法が大きく横方向の寸法が小さい細長い矩形状に形成されているとともに、縦方向がリング状部材７の中心軸と平行になっている。
【００２３】
ガイド部材１１は、第１のワイヤネット５とは反対側（長手方向の一端側）に、リング状部材７から離れて設けられている。また、ガイド部材１１は、複数本の第１の綱状部材９（９Ａ、９Ｂ、９Ｃ）のそれぞれが所定の間隔をあけるように、複数本の第１の綱状部材９のそれぞれをガイドしている。
【００２４】
結束コネクタ１３は、ガイド部材１１によってガイドされガイド部材１１からリング状部材７とは反対側（長手方向の一端側）に）延出している複数本の第１の綱状部材９を１本にまとめている。結束コネクタ１３は、１本にまとめられている第１の綱状部材９に一体的に設けられており、結束コネクタ１３をたとえば引き上げることで、ケーブル３が保持され吊り上げられるようになっている。
【００２５】
また、ガイド部材１１は、図２等で示すように、複数の（たとえば３つの）挿通部材１９（１９Ａ、１９Ｂ、１９Ｃ）と、円錐台側面状に形成されている支持部材２１とを備えて構成されている。
【００２６】
複数の（たとえば３つの）挿通部材１９（１９Ａ、１９Ｂ、１９Ｃ）のそれぞれには、図１（ｃ）等で示すように、複数本の第１の綱状部材９（９Ａ、９Ｂ、９Ｃ）のそれぞれが挿通されている。すなわち、第１の綱状部材９Ａが挿通部材１９Ａに挿通され、第１の綱状部材９Ｂが挿通部材１９Ｂに挿通され、第１の綱状部材９Ｃが挿通部材１９Ｃに挿通されている。
【００２７】
支持部材２１は、図１（ｂ）等で示すように、円錐台の上面がリング状部材とは反対側（長手方向一端側）に位置し、円錐台の底面がリング状部材７側（長手方向他端側）に位置し、複数の挿通部材１９（１９Ａ、１９Ｂ、１９Ｃ）同士が所定の位置関係になるように複数の挿通部材１９を一体的に支持している。
【００２８】
第１のワイヤネット５は、複数本（たとえば、１２本）のワイヤ１５を適宜編み込むことで形成されている。第１の綱状部材９は、複数本（たとえば、４本）のワイヤ１５を撚り合わせることで形成されている。
【００２９】
第１のワイヤネット５を構成しているワイヤ１５と第１の綱状部材９を構成しているワイヤ１５とは連続している。すなわち、第１のワイヤネット５を構成している１２本のワイヤ１５は、リング状部材７に支持され、第１の綱状部材９を構成している。
【００３０】
換言すれば、ワイヤ１５の長手方向の他端部（大部分）は、第１のワイヤネット５を構成しており、ワイヤ１５の長手方向の中間部（僅かない部位）は、リング状部材７に支持されており、ワイヤ１５の長手方向の一端部は、第１の綱状部材（撚り済みワイヤ）９を形成している。
【００３１】
３本の第１の綱状部材９のうちの１本目の第１の綱状部材９Ａは、１２本のワイヤ１５のうちの１本目〜４本目の４本のワイヤ１５を撚ることで形成されている。同様にして、２本目の第１の綱状部材９Ｂは、５本目〜８本目の４本のワイヤ１５を撚ることで形成されており、３本目の第１の綱状部材９Ｃは、９本目〜１２本目の４本のワイヤ１５を撚ることで形成されている。
【００３２】
すでに理解されるように、ガイド部材１１とリング状部材７との間では、複数本の第１の綱状部材９が、リング状部材７や支持部材２１の周方向で所定の間隔をあけて長手方向で延伸している。また、長手方向で、結束コネクタ１３とガイド部材１１と第１の綱状部材９とリング状部材７と第１のワイヤネット５とが、一端側から他端側に向かってこの順にならんでいる。
【００３３】
挿通部材１９Ａは、所定の長さを備えた筒状（たとえば円筒状）に形成されており、挿通部材１９Ａの内径は、第１の綱状部材９Ａの外径よりも僅かに大きくなっている。挿通部材１９Ｂ、１９Ｃは、挿通部材１９Ａと同形状に形成されており、第１の綱状部材９Ｂ、９Ｃは、第１の綱状部材９Ａと同形状に形成されている。
【００３４】
複数の挿通部材１９（１９Ａ、１９Ｂ、１９Ｃ）は、たとえば支持部材２１の内側で、支持部材２１の円の周を等分配する位置に設けられている。しかも、図２（ｂ）で示すように、複数の挿通部材１９（１９Ａ、１９Ｂ、１９Ｃ）それぞれの中心軸Ｃ１は、円錐台側面状の支持部材２１の母線Ｌ１と平行になっている。
【００３５】
また、挿通部材１９は、図２（ｂ）で示すように、支持部材２１の内側に設けられているともに、円錐台側面状の支持部材２１の高さ方向（長手方向）で、たとえば、挿通部材１９の一端（筒状の挿通部材１９の中心軸の延伸方向における一端；図２（ｂ）の下端）の位置が、円錐台側面状の支持部材２１の底面の位置と一致している。
【００３６】
リング状部材７には、図３〜図５等で示すように、リング状部材７の環の径Ｄ１の値が所定の値よりも小さくなることを防ぐためのストッパ（たとえば、金属もしくは合成樹脂で構成されているストッパ）２３が設けられている。
【００３７】
ストッパ２３は、リング状部材７の外周から外側に突出している突起で形成されている。リング状部材７の中心軸の延伸方向（長手方向）で見ると、ストッパ２３はたとえば「Ｌ」字状になってリング状部材７から突出しており、欠損部位１７の近くでリング状部材７の外周に設けられている。
【００３８】
そして、リング状部材７の環の径Ｄ１を小さくする力が加わったときに、図５で示すように、欠損部位１７の一方の側のリング状部材７の部位の先端部が「Ｌ」字状のストッパ２３内に入り込む。そして、リング状部材７の一方の先端がストッパ２３に当接し、リング状部材７の環の径Ｄ１の値が所定の値よりも小さくなることが防止されるようになっている。
【００３９】
また、円錐台側面状に形成されている支持部材２１の底面の内径Ｄ３の値（図１（ｂ）参照）は、ストッパ２３によって決定されるリング状部材７の内径Ｄ１の最小値（図５参照）以上の大きさになっている。たとえば、支持部材２１の底面の内径Ｄ３の値（図２（ｂ）参照）が、リング状部材７の内径Ｄ１の最小値と等しくなっている。
【００４０】
なお、図２（ｂ）で示す内径Ｄ３に代えて、図２で示す内径Ｄ４を採用してもよい。内径Ｄ４の値は、複数の挿通部材１９の中心軸Ｃ１のピッチサークル円（円錐台側面状に形成されている支持部材２１の底面のところにおけるピッチサークル円）の直径から挿通部材１９の内径（直径）を差し引いた値である。
【００４１】
図２で示す内径Ｄ３に代えて、図２で示す内径Ｄ４を採用することで、第１の綱状部材９とケーブル３との干渉を一層確実に防ぐことができる。
【００４２】
また、ケーブルグリップ１では、リング状部材７の内径Ｄ１の値がストッパ２３によって決定される最小値になっているときに（図５参照）、リング状部材７から延出し始めている複数の第１の綱状部材９の部位のそれぞれが、支持部材２１の円を等分配する位置に配置されるようになっている。すなわち、リング状部材７から延出し始めている複数の第１の綱状部材９の部位のそれぞれが、円錐台側面状に形成されている支持部材２１の底面のところにおける各挿通部材１９と同様な位置に配置されている。
【００４３】
ケーブルグリップ１についてさらに詳しく説明すると、リング状部材７の外周には、図３や図４や図５で示すように、第１のワイヤネット５が係止されている第１の係止部（たとえば、金属もしくは合成樹脂で構成されている第１のフック）２５と、第１の綱状部材９が係止されている第２の係止部２７とが設けられている。第２の係止部２７も、たとえば、金属もしくは合成樹脂で構成されている。
【００４４】
第１の係止部２５は、たとえば「Ｕ」字状に形成されており、「Ｕ」字を形成している線の両端部（Ｕ字の左右の上端）が、リング状部材７に設置されており、第１のワイヤネット５を構成しているワイヤ１５を第１の係止部２５に通すことができるようになっている。
【００４５】
リング状部材７の中心軸の延伸方向（長手方向）で見ると、図４等で示すように、第１の係止部２５は、複数設けられており、リング状部材７の周を等分配する位置に配置されており、リング状部材７の外周から環の外側に突出している。
【００４６】
第２の係止部２７は、たとえば、第１の係止部２５よりも大きい「Ｕ」字状に形成されており、第１の係止部２５と同様に、「Ｕ」字を形成している線の両端部が、リング状部材７に設置されている。そして、第１の綱状部材９を構成しているワイヤ１５を第２の係止部２７に通すことができるようになっている。
【００４７】
第２の係止部２７は、第１の係止部２５よりも少ない数で複数（第１の綱状部材９の数と同じ数）設けられており、リング状部材７の中心軸の延伸方向（長手方向）で見ると、内径Ｄ１が最小値になっているリング状部材７の周を等分配する位置（たとえば３等倍）に配置されている。また、各第１の綱状部材９（９Ａ、９Ｂ、９Ｃ）のそれぞれが第２の各係止部２７のそれぞれから延出している。
【００４８】
これにより、リング状部材７の内径Ｄ１が最小値になっているときに、リング状部材７から延出し始めている複数の第１の綱状部材９の部位のそれぞれが、リング状部材７の周を等分配するところに位置するようになっている（図５参照）。
【００４９】
また、リング状部材７の中心軸の延伸方向（長手方向）では、図３で示すように、第１の係止部２５は、第１のワイヤネット５側に配置されており、第２の係止部２７は、第１の綱状部材９側に配置されている。
【００５０】
上述したように、第１の綱状部材９は、第１のワイヤネット５を構成し第１の係止部２５に係止されているワイヤ１５が延びて第２の係止部２７に係止された後にさらに延びていることで形成されている。
【００５１】
次に、ケーブルグリップ１によるケーブル３の保持動作について説明する。
【００５２】
図６で示すように、ケーブルグリップ１の第１のワイヤネット５内にケーブル３を収容（挿入）する。このときには、リング状部材７には、力が加わっておらず、リング状部材７（第１のワイヤネット５）の内径（図４で示す内径）Ｄ１は、ケーブル（１本のトリプレックスケーブル）３の外径よりも大きくなっている。
【００５３】
また、図６で示す状態では、各第１の綱状部材９（９Ａ、９Ｂ、９Ｃ）の間を１本のトリプレックスケーブルを構成しているケーブル３Ａ、３Ｂ、３Ｃのそれぞれが通り抜けている。すなわち、第１の綱状部材９Ａと第１の綱状部材９Ｂとの間をケーブル３Ａが通り抜けており、第１の綱状部材９Ｂと第１の綱状部材９Ｃとの間をケーブル３Ｂが通り抜けており、第１の綱状部材９Ｃと第１の綱状部材９Ａとの間をケーブル３Ｃが通り抜けている。
【００５４】
図６で示すように、ケーブルグリップ１の第１のワイヤネット５内にケーブル３を収容し、ケーブル３の一端部が各第１の綱状部材９の間を貫通している状態で、図６や図１の上方向に結束コネクタ１３（ケーブルグリップ１）を引っ張り上げる。すると、ケーブルグリップ１（リング状部材７や第１のワイヤネット５）の径がすぼまり、ケーブル３を保持する。
【００５５】
このように、ケーブル３を保持している状態で、ケーブルグリップ１をさらに引っ張りケーブルグリップ１とケーブル３とを管路内に通す。
【００５６】
ケーブルグリップ１によれば、ガイド部材１１によって複数本の第１の綱状部材９のそれぞれが所定の間隔をあけるようにガイドされているので、リング状部材７が縮径してケーブル３の長手方向の中間部が保持されケーブル３が吊り上げられるときであっても、複数本の第１の綱状部材９（９Ａ、９Ｂ、９Ｃ）同士の間隔が維持され第１の綱状部材９によってケーブル３にダメージを与えることがなくなる。
【００５７】
また、ケーブルグリップ１によれば、ガイド部材１１によって複数本の第１の綱状部材９（９Ａ、９Ｂ、９Ｃ）のそれぞれが所定の間隔をあけるようにガイドされているので、複数本のケーブル３（３Ａ、３Ｂ、３Ｃ）の中間部を保持し引き上げるとき、図６で示すように、各第１の綱状部材９（９Ａ、９Ｂ、９Ｃ）の間から、各のケーブル３（３Ａ、３Ｂ、３Ｃ）のそれぞれを、第１の綱状部材９による押圧力を受けることなく引き出すことができる。
【００５８】
複数本のケーブル３の中間部を保持し引き上げることで、上方に設置されたケーブル（たとえば、建屋の上層階に図１８で示すケーブルグリップを用いて設置されたケーブル）の下端と、下方に設置されたケーブル（たとえば、建屋の下層階に本発明の第１の実施形態に係るケーブルグリップ１を用いて設置されたケーブル）３の上端とをお互いに接続することができる。
【００５９】
また、ケーブルグリップ１によれば、２つ結束コネクタ３５５を引くことでケーブル３５７を保持する中間引きケーブルグリップ３５１（図２０参照）とは異なり、１つの結束コネクタ１３を引くことでケーブル３を保持するので（１本吊りのケーブルグリップであるので）、ケーブル３を保持して吊るときにおける第１のワイヤネット５によるケーブル３の押圧力を大きくすることができ、第１のワイヤネット５の長さが長くなることを防ぐことができる。
【００６０】
第１のワイヤネット５の長さが長くなることを防ぐことができることにより、ケーブル３を保持して吊り上げの作業性が向上する。また、１本吊りのケーブルグリップであるので、ケーブルグリップ１を構成する部品の点数を少なくすることができる。
【００６１】
また、ケーブルグリップ１によれば、リング状部材７が縮径するので、ケーブル３の長手方向の中間部だけでなく、従来のワイヤネット３０１と同様に、ケーブル３の長手方向の端部も保持することができる。
【００６２】
また、ケーブルグリップ１によれば、ガイド部材１１の支持部材２１が円錐台側面状に形成されているので、ケーブル３を保持しているケーブルグリップ１の結束コネクタ１３を引きつつ、ケーブル３とケーブルグリップ１とを管路内に引き入れるときに、ケーブルグリップ１の管路への引っ掛かりを防止することができる。
【００６３】
また、ケーブルグリップ１によれば、複数の挿通部材１９が支持部材２１の円の周を等分配する位置に設けられており、しかも、複数の筒状の挿通部材１９の中心軸Ｃ１のそれぞれが円錐台側面状の支持部材２１の母線Ｌ１と平行になっているので、複数の第１の綱状部材９を強固にガイドでき、また、複数のケーブル３をバランス良く保持し引き上げることができる。
【００６４】
また、ケーブルグリップ１によれば、円錐台側面状の支持部材２１の底面の内径Ｄ３の値が、ストッパ２３によって決定されるリング状部材７の内径Ｄ１の最小値以上の大きさになっているので、リング状部材７が縮径しリング状部材７の内径Ｄ１が最小値になっても、各第１の綱状部材９の間隔が一定の値よりも狭まることがなく、第１の綱状部材９の押圧力によってケーブル３にダメージを与えることがなくなる。
【００６５】
また、ケーブルグリップ１によれば、リング状部材７の内径Ｄ１の値がストッパ２３によって決定される最小値になっているとき、リング状部材７から延出し始めている複数の第１の綱状部材９の部位のそれぞれが、リング状部材７の円を等分配する位置に配置されるようになっているので、複数本のケーブル３を保持し引き上げるときに、図６で示すように、各第１の綱状部材９の間にケーブル３のそれぞれを通すことができ、ケーブル３にダメージを与えることなくしかもバランス良く、各ケーブル３を保持し引き上げることができる。
【００６６】
なお、従来のケーブルグリップ３０９では、図１９で示すように、リング状部材３０３の内径の値がストッパによって決定される最小値になっているとき、リング状部材３０３から延出し始めている複数の綱状部材３０５の部位のそれぞれが、リング状部材３０３の円を等分配する位置からずれている。すなわち、図１９では、リング状部材３０３に設けられ綱状部材３０５を支持する「Ｕ」字状の部位３１３が、リング状部材３０３の円を等分配する位置からずれている。
【００６７】
ところで、上記説明では、ケーブル３としてトリプレックスケーブルを掲げているが、ケーブル３として３本以外の複数本のもの（たとえば、デュープレックスケーブルやカドラプレックスケーブル）を掲げることができる。
【００６８】
カドラプレックスケーブルを保持し引き上げる場合は、図８で示すように、４つの第２の係止部２７をリング状部材７に設けるものとする。
【００６９】
４つの第２の係止部２７は、リング状部材７の内径Ｄ１の値がストッパによって決定される最小値になっているときに、リング状部材７の周を４等配する位置に配置されている。また、このように形成されているリング状部材７に応じて、ガイド部材１１も４つの挿通部材１９を備えているものとする。
【００７０】
デュープレックスケーブルを保持し引き上げる場合は、図９で示すように、２つの第２の係止部２７をリング状部材７に設けるものとする。
【００７１】
２つの第２の係止部２７は、リング状部材７の内径Ｄ１の値がストッパによって決定される最小値になっているときに、リング状部材７の周を２等配する位置に配置されている。また、このように形成されているリング状部材７に応じて、ガイド部材１１も２つの挿通部材１９を備えているものとする。
【００７２】
なお、図８、図９では、第１の係止部２５の表示を省略している。
【００７３】
ところで、図７で示すように、ガイド部材を削除してもよい。
【００７４】
すなわち、ワイヤ１５で筒状に編まれケーブル３が収容されるワイヤネット５と、周方向の一部に環を途切る部位が形成されており、環の径が所定の値よりも小さくなることを防ぐためのストッパが設けられており、ワイヤネット５の端部に設けられているリング状部材７と、お互いが所定の間隔をあけて離れるようにリング状部材７に支持されており、ワイヤネット５とは反対側にリング状部材７から延出している複数本の綱状部材９（９Ａ、９Ｂ、９Ｃ）とを有し、リング状部材７の内径の値が上記ストッパによって決定される最小値になっているとき、リング状部材７から延出し始めている複数本の綱状部材９（９Ａ、９Ｂ、９Ｃ）の部位のそれぞれが、リング状部材７の円を等分配する位置に配置されるケーブルグリップとしてもよい。
【００７５】
[第２の実施形態]
本発明の第２の実施形態に係るケーブルグリップ１ａは、図１０で示すように、第２のネット（たとえばワイヤネット）２９と第２の綱状部材３１とが設けられている点が、本発明の第１の実施形態に係るケーブルグリップ１と異なり、その他の点は、本発明の第１の実施形態に係るケーブルグリップ１と同様構成されている。
【００７６】
すなわち、本発明の第２の実施形態に係るケーブルグリップ１ａは、第１のワイヤネット５とリング状部材７と第１の綱状部材９とガイド部材１１と結束コネクタ１３とに加えて、第２のワイヤネット２９と第２の綱状部材３１とを備えて構成されている。
【００７７】
第２のワイヤネット２９は、紐状部材（たとえばワイヤ）１５で編まれており、第１のワイヤネット５の長手方向の他方の端部側で第１のワイヤネット５から離れて設けられている。また、第２のワイヤネット２９にもケーブル（第１のワイヤネット５に収容されるケーブル）３が収容されるようになっている。
【００７８】
第２の綱状部材３１は、複数本設けられている。複数本の第２の綱状部材３１は、筒状の第１のワイヤネット５の周方向でお互いが所定の間隔をあけて離れるようにして、第１のネット５と第２のネット２９との間で延出している。第２の綱状部材３１のそれぞれは、第１のワイヤネット５と第２のワイヤネット２９とをつないでいる。
【００７９】
また、ケーブルグリップ１ａには、留め具３３が設けられている。留め具３３は、第２のワイヤネット２９でケーブル３を包み込んで保持するときに、第２のワイヤネット２９を筒状に形成するようになっている。
【００８０】
第２のワイヤネット２９単体は、平板状（シート状）に展開させることができる。平板状に展開されている第２のワイヤネット２９をこの厚さ方向で見ると、たとえば、矩形状に形成されている。
【００８１】
留め具３３は複数設けられており、各留め具３３は、第２のワイヤネット２９の１つの辺のところ（ネットの端）で、１つの辺の延伸方向に所定の間隔をあけてならんで設けられている。
【００８２】
なお、複数本の第２の綱状部材３１のそれぞれは、留め具３３が設けられている他の１つの辺（留め具３３が設けられている１つの辺に直交している他の１つの辺）から延出している。また、複数本の第２の綱状部材３１は、上記他１つの辺の延伸方向で所定の間隔をあけた各箇所から第１のワイヤネット５に向かって延出している。
【００８３】
各留め具３３のそれぞれは、第２のワイヤネット２９のさらなる他の１つの辺（各留め具３３が設けられている１つの辺と平行な１つの辺）のところもしくはこのさらなる他の１つの辺から所定の距離だけ離れている複数の箇所で第２のワイヤネット２９に係止されるようになっている。
【００８４】
この係止によって、第２のワイヤネット２９が筒状になり、第２のワイヤネット２９が筒状になった状態では、第２の綱状部材３１はこの筒状になった第２のワイヤネット２９の周方向でお互いが所定の間隔をあけて離れている。
【００８５】
ここで、留め具３３について詳しく説明する。
【００８６】
留め具３３は、図１１、図１２で示すように、留め具本体３５と、第１のフック形成部材３７と第２のフック形成部材３９とを備えて構成されている。
【００８７】
留め具本体３５は直方体状に形成されており、第２のワイヤネット２９の端のワイヤ１５に一体的に設けられている。第１のフック形成部材３７は、図１２で示すように、正面視において「Ｊ」字状に形成されており、留め具本体３５と一体になって留め具本体３５の１つの面（ワイヤ１５とは反対側の面）から突出している。
【００８８】
図１２で示すように、第２のフック形成部材３９は、正面視において「Ｉ」字状に形成されている。第２のフック形成部材３９は、留め具本体３５に移動自在に設けられており、この移動によって環状部位４１を形成し（図１２（ａ）（ｄ）参照）、また、環状部位４１を解放する（無くす）ようになっている（図１２（ｂ）（ｃ）参照）。
【００８９】
また、第２のフック形成部材３９には、つまみ部４３が一体で設けられている。つまみ部４３は、留め具本体３５の面から僅かに突出している。
【００９０】
なお、常態（つまみ部４３や第２のフック形成部材３９に環状部位４１を解放する力が加わっていない状態）では、図示しないバネ等の弾性体で付勢されているこことで、第２のフック形成部材３９が図１２の左方向に付勢されて環状部位４１が形成されている（図１２（ａ）参照）。
【００９１】
上記常態において、つまみ部４３に、図１２（ｂ）に矢印で示す力を加えると、第２のフック形成部材３９が図１２の右方向に移動し、環状部位４１が解放されるようになっている（図１２（ｂ）参照）。
【００９２】
そして、環状部位４１が解放されている状態で、図１２（ｃ）で示すように、環状部位４１（第１のフック形成部材３７の「Ｊ」字内）内に、第２のワイヤネット２９の端のワイヤ１５もしくは端から所定の距離だけ離れているところのワイヤ１５を入れ、図１２（ｂ）に矢印で示す力を取り除く。すると、第２のフック形成部材３９が図１２の左方向に移動し、環状部位４１が形成され、ワイヤ１５が保持され、第２のワイヤネット２９が筒状に形成されるようになっている（図１２（ｄ）、図１４参照）。
【００９３】
なお、図１２（ｃ）（ｄ）で示すワイヤ１５は、第２のワイヤネット２９の各格子のうちの１つの格子を形成しているものである。
【００９４】
また、ケーブルグリップ１ａでは、第１の綱状部材９と第１のワイヤネット５と第２の綱状部材３１と第２のワイヤネット２９とを構成しているワイヤ１５が、第１の綱状部材９と第１のワイヤネット５と第２の綱状部材３１と第２のワイヤネット２９とを通して、連続してつながっている。
【００９５】
さらに説明すると、長手方向の一端から他端に向かって順にならんでいる第１の綱状部材９と第１のワイヤネット５と第２の綱状部材３１と第２のワイヤネット２９は、複数本（たとえば、１２本）のワイヤ１５を適宜編み込みまた撚ることで形成されている。
【００９６】
各ワイヤ１５のそれぞれは、長手方向の一端から他端に向かって途切れることなく延びており、第１の綱状部材９と第１のワイヤネット５と第２の綱状部材３１と第２のワイヤネット２９をこの順に形成している。
【００９７】
第２のワイヤネット２９の長手方向の他端部（下端部）には、たとえば、ステンレススチールで形成されているバンド４５（図１５参照）が設置されるようになっている。なお、図１０では、バンド４５の表示が省略されている。
【００９８】
バンド４５は、筒状になって内部にケーブル３が挿入されている第２のワイヤネット２９をこの外側から締め付け、第２のワイヤネット２９をケーブル３に強固に固定するために設けられている。
【００９９】
ここで、ケーブルグリップ１ａで保持されるケーブル３について詳しく説明する。ケーブル３は、幹線４７と分岐線４９を備えたブランチケーブルになっている。分岐線４９が分離している箇所には、分岐モールド部５１が形成されている。
【０１００】
次に、ケーブルグリップ１ａへのケーブル３の設置動作について、図１４、図１５を参照しつつ説明する。なお、図１４、図１５は、詳しくは後述する図１３で示す第２の実施形態に係るケーブルグリップ１ａの変形例に係るケーブルグリップ１ｂへのケーブル３の設置動作を示す図であるが、図１４、図１５を参照しつつ説明する。
【０１０１】
まず、ケーブル３の幹線４７の頭部（分岐モールド部５１よりも上側の所定長さの部位；長手方向の一端側の所定長さの部位）５３を第１のワイヤネット５や図１４、図１５では図示していないリング状部材７に挿入する。続いて、結束コネクタ１３を上方に引っ張ることで、第１のワイヤネット５やリング状部材７を引き締める。
【０１０２】
続いて、第２のワイヤネット２９を、ケーブル３の幹線４７の下部（分岐モールド部５１よりも下側の部位）５５に巻き付け、留め具３３を第２のワイヤネット２９に掛け、第２のワイヤネット２９の下部５５をバンド４５でケーブル３の幹線４７に固定して取り付け完了となる。この状態では、ケーブル３の分岐線４９は、第２の綱状部材３１の間を通ってケーブルグリップ１ａから離れる方向に延出している。
【０１０３】
ケーブルグリップ１ａによれば、第１のワイヤネット５と第２のワイヤネット２９と、第１のワイヤネット５と第２のワイヤネット２９とをつないでいる複数本の第２の綱状部材３１とを備えているので、ケーブル３を把持する力をさらに強めることができる。
【０１０４】
さらに説明すると、図１０で示すケーブルグリップ１ａにおいて第２の綱状部材３１と第２のワイヤネット２９とを削除すると、ケーブル３が幹線４７と分岐線４９を備えたブランチケーブルである場合、第１のワイヤネット５で包み込まれるケーブル３（幹線４７）の部分は最大でも分岐線４９が延出している分岐モールド部５１よりも上の部分（ケーブル３の頭部５３）だけになってしまう。
【０１０５】
また、図１４や図１５で示すケーブル３の幹線４７の分岐モールド部５１よりも上の部分（頭部）５３を伸ばしてしまうと、伸ばした分だけコストアップにつながり建物の階高に合わなくなる等の問題が発生してしまう。よって、ケーブル３の幹線４７の分岐モールド部５１よりも上の部分５３や第１のワイヤネット５を長くして、第１のワイヤネット５によるケーブル３の把持力（保持力）を高めることには限界がある。
【０１０６】
これに対して、ケーブルグリップ１ａによれば、図１４や図１５で示すように、ケーブル３を吊り下げるとき、分岐線４９を第２の綱状部材３１の間から延出させて、ケーブル３の幹線４７の分岐モールド部５１よりも上の部位５３を第１のワイヤネット５で引締め保持し、ケーブル３の幹線４７の分岐モールド部５１よりも下の部位５５を第２のワイヤネット２９で引締め保持することができるので、２カ所でケーブル３の幹線４７を保持することができ、ワイヤネット５、２９が包んでいるブランチケーブル３の部分が多くなり、ケーブル３の頭部５３等に負担を掛けることなくケーブル３を把持する力を上げることができる。
【０１０７】
これにより、ケーブルグリップ１ａを用いてケーブル３を吊り上げた際におけるケーブル３の落下事故を防止することができ、把持長さが足りない場合のケーブル３延長によるコストアップを防止することができる。また、ケーブルの頭部吊上げタイプにおいて、従来重量制限のためケーブルグリップでは吊り上げられず、プーリングアイのような吊下げ治具を用いなければならなかったケーブルの吊り上が可能になる。また、プーリングアイの取り付けには樹脂を流し込んで固める等の手間と時間が掛かるが、その作業がなくなるため加工の作業性も向上する。
【０１０８】
また、ケーブルグリップ１ａによれば、第２のワイヤネット２９でケーブル３の幹線４７の分岐モールド部５１よりも下の部分（下部）５５を包み込んで保持するときに、留め具３３によって第２のワイヤネット２９が筒状に形成されるので、第２のワイヤネット２９でのケーブル３の保持をすばやくしかも容易に行うことができる。
【０１０９】
また、ケーブルグリップ１ａによれば、第１の綱状部材９と第１のワイヤネット５と第２の綱状部材３１と第２のワイヤネット２９とを構成しているワイヤ１５が、第１の綱状部材９と第１のワイヤネット５と第２の綱状部材３１と第２のワイヤネット２９とを通して連続してつながっているので、構成が簡素になっているとともに上下方向（長手方向）における引張り強度が高まっている。
【０１１０】
次に、図１０で示す第２の実施形態に係るケーブルグリップ１ａの変形例について、図１３〜図１５を参照しつつ説明する。
【０１１１】
図１３等で示すケーブルグリップ１ｂは、第１のワイヤネット５の長手方向の一端に結束コネクタ１３が直接設置されており、第１のワイヤネット５の長手方向の一端が結束コネクタ１３で閉じられている点が、図１０で示すケーブルグリップ１ａと異なり、その他の点は、図１０で示すケーブルグリップ１ａと同様に構成されている。
【０１１２】
すなわち、ケーブルグリップ１ｂは、図１や図１０等で示すガイド部材１１等を備えることなく、第１のワイヤネット５と結束コネクタ（シンブル）１３と第２のワイヤネット２９と第２の綱状部材３１とを備えて構成されている。
【０１１３】
第１のワイヤネット５は、紐状部材で筒状に編まれており、第１のワイヤネット５には、ケーブル３が収容されるようになっている。結束コネクタ１３は、第１ワイヤのネット５の長手方向の一方の端部に設けられており、筒状の第１ワイヤネット５の長手方向の一端を閉じている。
【０１１４】
第２のワイヤネット２９は、紐状部材で編まれており、第１のワイヤネット５の長手方向の他方の端部側で第１のワイヤネット５から離れている。第２のワイヤネット２９には、ケーブル３が収容されるようになっている。
【０１１５】
第２の綱状部材３１は、複数本設けられている。複数本の第２の綱状部材３１は、筒状の第１のワイヤネット５の周方向でお互いが所定の間隔をあけて離れるようにして、第１のネット５と第２のネット２９との間で延出している。第２の綱状部材３１のそれぞれは、第１のワイヤネット５と第２のワイヤネット２９とをつないでいる。
【０１１６】
また、ケーブルグリップ１ｂには、第２のワイヤネット２９でケーブル３を包み込んで保持するときに、第２のワイヤネット２９を筒状に形成する留め具３３が設けられている。さらに、第１のワイヤネット５と第２の綱状部材３１と第２のワイヤネット２９とを構成しているワイヤ１５は、第１のワイヤネット５と第２の綱状部材３１と第２のワイヤネット２９とを通して、連続してつながっている。
【０１１７】
次に、図１３等で示すケーブルグリップ１ｂの変形例について、図１６や図１７を参照しつつ説明する。
【０１１８】
図１６等で示すケーブルグリップ１ｃは、ケーブル３の中間引きのために使用される中間引きケーブルグリップであり、筒状の第１のワイヤネット５の長手方向の両端部が開口しており、結束コネクタ１３が複数設けられている点が、図１３等で示すケーブルグリップ１ｂと異なり、その他の点は、図１３等で示すケーブルグリップ１ｂと同様に構成されている。
【０１１９】
ケーブルグリップ１ｃの保持対象であるケーブル３は、頭部５３が長く延びている点が、図１４等で示すケーブル３と異なり、その他の点は、図１４等で示すケーブル３と同様に構成されている。
【０１２０】
図１６で示すケーブルグリップ１ｃには、複数（たとえば２つ）の結束コネクタ１３が設けられている。また、図１６で示すケーブルグリップ１ｂでは、第１のワイヤネット５の長手方向の一方の端と他方の端とが、ケーブル３（幹線４７）の通り抜けができるように開口している。
【０１２１】
また、図１６で示すケーブルグリップ１ｃには、リング状部材７が設けられている。リング状部材７は、周方向の一部に環を途切る部位１７（図１５では図示せず）が形成されており、第１のワイヤネット５の長手方向の一方の端部に設けられている。
【０１２２】
図１６で示すケーブルグリップ１ｃの各結束コネクタ１３のそれぞれは、綱状もしくは網状の連結部材５７を介して、リング状部材７や第１のワイヤネット５につながっている。また、連結部材５７は、第１のワイヤネット５とつながっているワイヤ１５で形成されている。
【０１２３】
図１６で示すケーブルグリップ１ｃによれば、第１のワイヤネット５の長手方向の一方の端がケーブル３の幹線４７の通り抜けができるように開口しているので、中間引きケーブルグリップにおいても、ケーブル３の幹線４７の２か所を保持することができる。
【符号の説明】
【０１２４】
１、１ａ、１ｂ、１ｃ  ケーブルグリップ
３  ケーブル
５  第１のネット（第１のワイヤネット）
７  リング状部材
９  第１の綱状部材
１１  ガイド部材
１３  結束コネクタ
１５  紐状部材（ワイヤ）
１７  環を途切る部位
１９  挿通部材
２１  支持部材
２３  ストッパ
２９  第２のネット（第２のワイヤネット）
３１  第２の綱状部材
３３  留め具
Ｃ１  挿通部材の中心軸
Ｄ１  リング状部材の内径
Ｄ３  支持部材の底面の内径
Ｌ１  支持部材の母線
【図１】
2020039244.tif 000003
【図２】
2020039244.tif 000004
【図３】
2020039244.tif 000005
【図４】
2020039244.tif 000006
【図５】
2020039244.tif 000007
【図６】
2020039244.tif 000008
【図７】
2020039244.tif 000009
【図８】
2020039244.tif 000010
【図９】
2020039244.tif 000011
【図１０】
2020039244.tif 000012
【図１１】
2020039244.tif 000013
【図１２】
2020039244.tif 000014
【図１３】
2020039244.tif 000015
【図１４】
2020039244.tif 000016
【図１５】
2020039244.tif 000017
【図１６】
2020039244.tif 000018
【図１７】
2020039244.tif 000019
【図１８】
2020039244.tif 000020
【図１９】
2020039244.tif 000021
【図２０】
2020039244.tif 000022